(57)【要約】【課題】美観を損なわず、蓋体の窓孔と主幹ブレーカのハンドル突部との隙間を塞ぐことができる住宅用分電盤を提供することにある。【解決手段】住宅用分電盤の箱体１に収納された主幹ブレーカ２は、箱体１の前面開口部に取着される蓋体７を構成する内蓋部７１ａに形成した窓孔９からハンドル突部８を露出させる。そして２極型の主幹ブレーカ２の場合には、ハンドル突部８に内周面が係合した状態で内蓋部７１ａの窓孔９の周縁に係合して主幹ブレーカ２のハンドル突部８と窓孔９との隙間を塞ぐ枠体１５を取着して使用する。【選択図】図１
2004229362.tif 000002
【特許請求の範囲】
【請求項１】
器体表面より突出するとともに突出前面より操作ハンドルを露出させたハンドル突部を各々有する主幹ブレーカ及び分岐ブレーカと、主幹ブレーカ及び分岐ブレーカの各ハンドル突部を開口側として収納する一面開口の箱体と、主幹ブレーカ及び分岐ブレーカの各ハンドル突部を露出させる窓孔を各々有して箱体の開口面に取着される蓋体とを備えた住宅用分電盤において、前記主幹ブレーカに、該主幹ブレーカのハンドル突部に内周面が係合した状態で前記蓋体の窓孔の周縁に係合して前記主幹ブレーカのハンドル突部と前記窓孔との隙間を塞ぐ枠体を取着したことを特徴とする住宅用分電盤。
【請求項２】
前記枠体に、該枠体を前記主幹ブレーカに取着した状態で主幹ブレーカのハンドル突部の表面と面一であって、前記主幹ブレーカのハンドル突部と前記窓孔との間に臨む凸部を形成したことを特徴とする請求項１記載の住宅用分電盤。
【請求項３】
前記枠体の周縁を、前記窓孔よりも広い位置まで延出したことを特徴とする請求項１又は請求項２記載の住宅用分電盤。
【請求項４】
前記枠体に、前記主幹ブレーカの入力端子及び出力端子の少なくとも一方を塞ぐ端子カバー部を設けたことを特徴とする請求項１乃至３の何れかに記載の住宅用分電盤。
【発明の詳細な説明】
【０００１】
【発明の属する技術分野】
本発明は、二線式配線路に介在する住宅用分電盤に関するものである。
【０００２】
【従来の技術】
近年、電気料金の安い深夜電力を利用した蓄熱暖房が広まりつつある。この蓄熱暖房用の電力は、単相三線式配線路に介在する通常の住宅用分電盤とは別に、単相三線式配線路のＮ相・Ｌ１相・Ｌ２相のうちのＬ１相及びＬ２相を接続した２極型の主幹ブレーカと、この主幹ブレーカの二次側に接続されて各蓄熱負荷へ供給する分岐ブレーカとを有した蓄熱暖房用の住宅用分電盤から供給されるものである。
【０００３】
ここで単相三線式配線路に介在する一般の主幹ブレーカは３極であり、蓄熱暖房用の主幹ブレーカは２極であるので、その幅寸法が異なり、通常使用している住宅分電盤のうち３極型の主幹ブレーカを外して２極型の主幹ブレーカを配設する場合、住宅分電盤を構成する蓋体に形成されたハンドル操作用の窓孔が大きすぎて２極の主幹ブレーカとの間に隙間を生じてしまう。また２極型の主幹ブレーカを配設するために特別に作成した蓋体を用いることも考えられるが、この場合、３極用と２極用の２種類の蓋体を用意する必要があり、大変面倒である。
【０００４】
尚住宅用分電盤の蓋体には、通常、電流制限器取付位置に複数の大きさの電流制限器に対応する切り溝を形成しており、電流制限器の大きさによって切断する溝を決定することができるようになっている。この方法を主幹ブレーカの窓孔に用いると隙間を塞ぐことができるが、溝を作製する手間と費用がかかり、住宅用分電盤に２極用の主幹ブレーカを用いることが少ない関係上、メリットがないのが現状である。更に窓孔の余剰開口部を被蔽するために蓋体の表面から被蔽用の蓋（盲蓋）を取着するものもある。（例えば特許文献１）
この被蔽用の蓋を用いることも考えられるが、この場合、蓋体の表面よりも被蔽用の蓋が突出してしまい、見栄えが悪くなるという問題がある。
【０００５】
【特許文献１】実開平６一５７００８号公報
【０００６】
【発明が解決しようとする課題】
本発明は、上述の問題点に鑑みて為されたものであり、その目的とするところは、美観を損なわず、蓋体の窓孔と主幹ブレーカのハンドル突部との隙間を塞ぐことができる住宅用分電盤を提供することにある。
【０００７】
【課題を解決するための手段】
上述の目的を達成するために、請求項１の発明では、器体表面より突出するとともに突出前面より操作ハンドルを露出させたハンドル突部を各々有する主幹ブレーカ及び分岐ブレーカと、前記主幹ブレーカ及び分岐ブレーカの各ハンドル突部を開口側として収納する一面開口の箱体と、前記主幹ブレーカ及び分岐ブレーカの各ハンドル突部を露出させる窓孔を各々有して前記箱体の開口面に取着される蓋体とを備えた住宅用分電盤において、前記主幹ブレーカに、該主幹ブレーカのハンドル突部に内周面が係合した状態で前記蓋体の窓孔の周縁に係合して前記主幹ブレーカのハンドル突部と前記窓孔との隙間を塞ぐ枠体を取着したことを特徴とする。
【０００８】
請求項２の発明では、請求項１の発明において、前記枠体に、該枠体を前記主幹ブレーカに取着した状態で前記主幹ブレーカのハンドル突部の表面と面一であって、前記主幹ブレーカのハンドル突部と前記窓孔との間に臨む凸部を形成してたことを特徴とする。
【０００９】
請求項３の発明では、請求項１又は２の発明において、前記枠体の周縁を、前記窓孔よりも広い位置まで延出したことを特徴とする。
【００１０】
請求項４の発明では、請求項１乃至３の何れかの発明において、前記枠体に、前記主幹ブレーカの入力端子及び出力端子の少なくとも一方を塞ぐ端子カバー部を設けたことを特徴とする。
【００１１】
【発明の実施の形態】
以下本発明を図１乃至図５に示す一実施形態により説明する。
【００１２】
本実施形態の住宅用分電盤は、前面開口の合成樹脂成形品からなる箱体１をベースとし、箱体１内部の左右方向の片側半分のスペース中央には主幹ブレーカ２が配設され、残りの片側半部のスペースには上下２列で左右方向に複数の分岐ブレーカ３…が配設されている。
【００１３】
ここで主幹ブレーカ２は図５に示すように箱体１の後内壁面（つまり底壁）に取り付けられた架台４上に、幹線の配線路が接続される入力端子５を設けた入力端子部２０（図２参照）が上側に、分岐ブレーカ３…側への配線路を接続する出力端子（図示せず）を設けた出力端子部２１（図２参照）が下側にくるように取り付けられる。
【００１４】
箱体１は前面開口部に蓋体７が被着されておいる。この蓋体７は図１及び図５に於いて上部が前方に膨出した枠部７０と、この枠部７０の開口窓内の左右両側に夫々嵌着される内蓋部７１ａ、内蓋部７１ｂとから構成されており、内蓋部７１ａは、主幹ブレーカ２の器体表面より前方に突出したハンドル突部８を内側から嵌め込んでハンドル突部８の前面側を露出させる窓孔９を開口している。
【００１５】
また内蓋部７１ｂは、上下２列に配置される分岐ブレーカ３…のハンドル突部１０を夫々内側から嵌め込んで各ハンドル突部１０を前面側に露出する横長の窓孔１１を開口している。この窓孔１１において分岐ブレーカ３…が配置されず、ブランクとなる部位にはブランクを被蔽するための蓋体１２が嵌着される。尚図１中２７は各分岐ブレーカ３の回路名を記したカードを配置する部位を示す。
【００１６】
ここで主幹ブレーカ２のハンドル突部８及び分岐ブレーカ３のハンドル突部１０の前面には夫々の操作ハンドル１３，１４が露出しており、内蓋部７１ａ、７１ｂの各前面側からこれら操作ハンドル１３，１４を手動操作できるようなる。
【００１７】
図示する分岐ブレーカ３は操作ハンドル１４としてフラット状のものを用いている。また主幹ブレーカ２はハンドル突部８に各種操作釦２５，２６の頭部も露出させている。
【００１８】
そして内蓋部７１ａの前方は、上述の枠部７０の膨出部と内蓋部７１ａの上縁との境界部付近に上端が開閉自在に枢支された外蓋２４で覆われ、主幹ブレーカ２や分岐ブレーカ３のハンドル操作が必要なときにこの外蓋２４を上側に開くようになっている。
【００１９】
ところで主幹ブレーカ２のハンドル突部８が露出する内蓋部７１ａの窓孔９の左右両側幅の寸法を３極型の主幹ブレーカのハンドル突部８がほぼ隙間なく嵌め込めることができる寸法に対応させているため、幅狭い２極型の主幹ブレーカ２のハンドル突部８を窓孔９に嵌める場合にはハンドル突部８の両側面と、窓孔９の両側内縁との間に隙間が生じる。そこで、この隙間を塞ぐために２極型の主幹ブレーカ２はその器体前部に枠体１５を取着して使用される。
【００２０】
この枠体１５は図２に示すように中央にハンドル突部８が嵌め込まれる開口部１６が形成され、その開口部１６の両側に開口部１６に嵌り込み前方へ突出するハンドル突部８とともに、内蓋部７１ａの窓孔９に嵌り込む凸部１７を夫々形成している。そしてこれら凸部１７，１７の前面の位置は窓孔９に凸部１７，１７が嵌め込まれたときに内蓋部７１ａの前面の位置とほぼ同じ位置、つまりハンドル突部８の前面とともに内蓋部７１ａの前面と面一となるように形成されている。またこれら凸部１７，１７の外側面間の寸法は窓孔９の両側内縁間の寸法とやや小さい寸法に形成されている。更に枠体１５は下端から延長形成した延長片の後端より更に垂下延長させ、この垂下片を主幹ブレーカ２の下側の出力端子を設けた出力端子部２１を覆う端子カバー部１８としている。
【００２１】
而して２極型の主幹ブレーカ２を使用する場合には、枠体１５を主幹ブレーカ２の前部に図４に示すように取着する。この場合主幹ブレーカ２のハンドル突部８を枠体１５の開口部１６に嵌め込むとともに、端子カバー部１８で出力端子に対応する出力端子部２１の前面部を覆い、端子カバー部１８の中央部に穿設している螺子挿通孔１９に取着螺子２２を挿通して、出力端子部２１の仕切り壁２１ａに形成した挿通孔２３に挿入して挿通孔２３の裏側開口に配置したナット（図示せず）に螺合締結することで枠体１５を主幹ブレーカ２に取着するのである。挿通孔２３を螺子孔としてこの螺子孔に直接取着螺子２２を螺合締結するようにしても良い。
【００２２】
さて上述のように枠体１５を取着した主幹ブレーカ２を使用する場合、蓋体７の内蓋部７１ａの窓孔９には、図３に示すように枠体１５の両側の凸部１７，１７が、開口窓１６に嵌め込まれ開口部１６の内周面と係合しているハンドル突部８とともに嵌め込まれ、ハンドル突部８の両側の隙間を塞ぐ。このとき、開口窓１６及び凸部１７，１７の周縁が延出部位の前面が窓孔９の周縁の内蓋部７１ａの後面側に係合することになる。また窓孔９の前面開口に臨む凸部１７，１７の前面とハンドル突部８の前面とが、内蓋部７１ａの前面と略面一となって見栄えを良くしている。
【００２３】
【発明の効果】
請求項１の発明は、ハンドル突部を各々有する主幹ブレーカ及び分岐ブレーカと、前記主幹ブレーカ及び分岐ブレーカの各ハンドル突部を開口側として収納する一面開口の箱体と、前記主幹ブレーカ及び分岐ブレーカの各ハンドル突部を露出させる窓孔を各々有して前記箱体の開口面に取着される蓋体とを備えた住宅用分電盤において、前記主幹ブレーカに、該主幹ブレーカのハンドル突部に内周面が係合した状態で前記蓋体の窓孔の周縁に係合して前記主幹ブレーカのハンドル突部と前記窓孔との隙間を塞ぐ枠体を取着したので、主幹ブレーカのハンドル突部の大きさが、例えば、主幹ブレーカが通常使用される３極型から２極型に変わるような場合にあっても、通常３極用に形成された窓孔と、該窓孔から露出させる２極型の主幹ブレーカのハンドル突部との間に生じる隙間を枠体によって塞ぐことができ、特に主幹ブレーカに枠体を取着し、蓋体内に枠体が位置するため、美観を損なわないという効果がある。
【００２４】
請求項２の発明は、請求項１の発明において、前記枠体に、該枠体を前記主幹ブレーカに取着した状態で前記主幹ブレーカのハンドル突部の表面と面一であって、前記主幹ブレーカのハンドル突部と前記窓孔との間に臨む凸部を形成しているので、主幹ブレーカのハンドル突部及び凸部が段差なく窓孔に収まり、見栄えが良くなるという効果がある。
【００２５】
請求項３の発明は、請求項１又は２の発明において、前記枠体の周縁を、前記窓孔よりも広い位置まで延出したので、窓孔から箱体内部にゴミや埃が入りにくくなるという効果がある。
【００２６】
請求項４の発明は、請求項１乃至３の何れかの発明において、前記枠体に、前記主幹ブレーカの入力端子及び出力端子の少なくとも一方を塞ぐ端子カバー部を設けているので、枠体が端子カバーを兼ねることができ、端子カバーとは別々に取着する場合に比べて主幹ブレーカに取り付け易くなるという効果がある。
【図面の簡単な説明】
【図１】本発明の一実施形態の一部破断せる正面図である。
【図２】同上の要部の一部省略せる拡大分解斜視図である。
【図３】同上の要部の一部省略せる拡大正面図である。
【図４】同上に用いる枠体を取り付けた状態の主幹ブレーカの拡大斜視図である。
【図５】同上の側面拡大断面図である。
【符号の説明】
１  箱体
２  主幹ブレーカ
３  分岐ブレーカ
４  窓孔
７  蓋体
７１ａ，７１ｂ  内蓋部
８  ハンドル突部
９、１１  窓孔
１３，１４  操作ハンドル
１５  枠体
１７  凸部
【図１】
2004229362.tif 000003
【図２】
2004229362.tif 000004
【図３】
2004229362.tif 000005
【図４】
2004229362.tif 000006
【図５】
2004229362.tif 000007